(57)【特許請求の範囲】
【請求項１】
（Ａ）打鈴機構トリガ装置装置（３０）と、
（Ｂ）時間カム（３）と、
前記時間カムは、２４時間で１回転し半径方向のリセスを有し、
（Ｃ）カム・フォロア（８）と、
前記カム・フォロアは、前記時間カム（３）に半径方向から当たり、前記時間カム（３）の動きにより、前記打鈴機構トリガ装置が活性化され、
（Ｄ）アラーム時間設定手段（２５）と、
前記アラーム時間設定手段は、前記時間カム（３）と前記カム・フォロア（８）の相対角度位置を調整するよう配置され、
（Ｅ）プログラム可能歯車（７）と
（Ｆ）トリガ歯車（４）と、
を有し、
前記プログラム可能歯車（７）とトリガ歯車（４）は、前記時間カム（３）と同一の共通回転軸（１７）を有し、
前記プログラム可能歯車（７）は、前記アラーム時間設定手段（２５）に連結され、
前記トリガ歯車（４）は、前記打鈴機構トリガ装置と共働する歯（５）を有し、
前記カム・フォロア（８）は、前記プログラム可能歯車（７）上に可動に搭載され、前記トリガ歯車（４）に連結され、
前記トリガ歯車（４）は、前記カム・フォロアが動いた時に、前記プログラム可能歯車に対し回転する
ことを特徴とするアラーム制御機構。
【請求項２】
前記カム・フォロア（８）は、軸（３６）上に搭載され、
前記軸（３６）は、前記プログラム可能歯車（７）上で中心がずれて配置される
ことを特徴とする請求項１記載のアラーム制御機構。
【請求項３】
前記カム・フォロア（８）は、第１フィンガ（４０ａ）を有するレバーで形成され、
前記第１フィンガ（４０ａ）は、前記時間カム（３）に当たる
ことを特徴とする請求項１又は２記載のアラーム制御機構。
【請求項４】
前記カム・フォロア（８）は、ラック（３７）を具備し、
前記ラック（３７）は、前記トリガ歯車（４）のピニオン（６）と噛み合う
ことを特徴とする請求項２又は３記載のアラーム制御機構。
【請求項５】
前記打鈴機構トリガ装置（３０）は、前後に回転するよう配置され、
前記打鈴機構トリガ装置（３０）は、歯付きセクタ（３２）を有し、
前記歯付きのセクタ（３２）は、前記トリガ歯車（４）の歯と共働し、前記トリガ歯車（４）の第１方向（Ａ）の回転に追従し、
第１方向（Ａ）とは反対方向の回転の間、前記歯付きセクタ（３２）は復帰動作を行い、その後、アラーム時間が設定された時に、前記トリガ歯車がさらに回転する場合には、クリック動作をする
ことを特徴とする請求項１−４のいずれかに記載のアラーム制御機構。
【請求項６】
前記打鈴機構が設定された時には、前記打鈴機構トリガ装置（３０）は、スプリング（Ｒ）によりバイアスが掛けられ、
これにより、前記打鈴機構トリガ装置は、前記トリガ歯車（４）を第１方向（Ａ）に駆動するよう力をかけ、前記トリガ歯車は、前記カム・フォロア（８）を前記時間カムに押し当てる
ことを特徴とする請求項５記載のアラーム制御機構。
【請求項７】
（Ｇ）分カム（１４）をさらに有し、
前記分カムは、前記時間カム（３）と同一の回転軸（１７）の周囲を、１時間に１回転するよう駆動され、
前記分カムは、少なくとも１つの半径方向のノッチ（５１）を有し、
前記カム・フォロア（８）は、第２フィンガ（４０ｂ）を有し、
前記第２フィンガは、前記分カムに当たる
ことを特徴とする請求項３記載のアラーム制御機構。
【請求項８】
前記時間カム（３）と分カム（１４）は、輪列により連結され、
前記輪列は、現在時刻のアナログ表示の一部を形成する分歯車／ピニオン（２０）を含む
ことを特徴とする請求項７記載のアラーム制御機構。
【請求項９】
前記分カム（１４）は、少なくとも２つの連続する半径方向ノッチ（４７、４８）を有し、サプライズ・ピース（１１）に関連し、
前記サプライズ・ピースは、復帰スプリング（１２）の力に抗して、前記共通回転軸（１７）の周囲を回転し、少なくとも２つの突起部分（５３、５４）を有し、
前記突起部分は、前記サプライズ・ピースが静止位置にある時には、前記半径方向ノッチをカバーする
ことを特徴とする請求項７記載のアラーム制御機構。
【発明の詳細な説明】
【技術分野】
【０００１】
本発明は、アラーム制御機構に関し、特に、打鈴機構トリガ装置と、半径方向のリセスを有する回転する時間カムと、時間カムに半径方向から当たることにより打鈴機構トリガ装置を駆動するカム・フォロアと、アラーム時間設定手段とを有し、時間カムとカム・フォロアとの相対角度位置を調整するアラーム制御機構に関する。
【背景技術】
【０００２】
用語「アラーム（警報）装置」とは、アラーム付き時計の打鈴システムのみならず、時計特に腕時計で所定時間に所定の信号（アラーム信号）を生成する装置を指す。
【０００３】
特許文献１は、ロッキング・レバーを有するこの種のアラーム制御機構の一例を示す。ロッキング・レバーの一方のアームは、スプリングに押されて、半径方向の急峻なリセス（谷部）を有する回転する螺旋形状カムの端部に追従する。この端部は、摩擦を利用して搭載され、その結果、その角度位置は、歯車上でアラーム時間を設定するよう調整することができる。この歯車は、時計のムーブメントにより駆動され、２４時間で１回転する。他方のアームは、打鈴機構をトリガーする手段と、打鈴機構を停止するプッシュボタンと共働する。この種のレバーは、カムの隣の大きな空間を占有し、これが特に複雑時計では、欠点となる。
【先行技術文献】
【特許文献】
【０００４】
【特許文献１】スイス特許第３４１７７１号明細書
【特許文献２】イギリス特許第１３９７９８２号明細書
【０００５】
特許文献２に開示されたアラーム制御機構は、２つの同軸歯車を有し、その間に先端カムシステムを有する。その結果、アラーム時間で、一方の歯車が他方の歯車に向かって軸方向に動き、かくして打鈴機構を始動する。この機構の主な欠点は、アラームがトリガーされる時間が正確でないことであり、システムを再設定することにも問題があり、ユーザが特にリセットしないと、２４時間後に再度打鈴してしまう（アラームが鳴る）。
【発明の概要】
【発明が解決しようとする課題】
【０００６】
本発明の目的は、上記の従来技術の欠点を解決するアラーム制御機構を提供することっである。その結果、アラーム制御機構が占有するスペースを制限し、アラーム制御機構を複雑時計のムーブメントの中に一体に組み込むことができるよになる。本発明の更なる目的は、打鈴機構がより正確に始動できるようにするために、分カムに関連する機構を配置することである。さらに本発明の目的は、アラーム設定時間の後数分後、再び打鈴する（アラームを発する）機構を提供することである。
【課題を解決するための手段】
【０００７】
本発明は、請求項１に記載したとおりである。即ち、本発明のアラーム制御機構は、打鈴機構トリガ装置と、時間カムと、カム・フォロアとアラーム時間設定手段とプログラム可能歯車とトリガ歯車とを有する。前記プログラム可能歯車とトリガ歯車は、前記時間カムと同一の共通回転軸を有する。前記カム・フォロアは、前記時間カムに半径方向から当たり、前記時間カムの動きにより前記打鈴機構トリガ装置が活性化される。前記アラーム時間設定手段は、前記時間カムと前記カム・フォロアの相対角度位置を調整するよう配置される。前記時間カムは、２４時間で１回転し半径方向のリセスを有する。前記プログラム可能歯車は、前記アラーム時間設定手段に連結される。前記トリガ歯車は、歯を有し、前記歯は、前記打鈴機構トリガ装置と共働する。前記カム・フォロアは、前記プログラム可能歯車上で可動に搭載され、前記トリガ歯車に連結される。その結果、前記トリガ歯車は、前記カム・フォロアが動いた時に、前記プログラム可能歯車に対し回転する。
【０００８】
かくして、アラーム用時間カムからトリガー・ホイールまでの輪列（"kinematic chain"）は、同軸歯車群の中に集中して配置される。この同軸歯車群は、共通の軸心に搭載され、面内で占有する空間が小さくなる。アラーム時間を設定するためには、駆動するのはプログラム歯車であり時間カムではない。その結果、時間カムを摩擦を利用して搭載する必要はなく、アラーム制御機構全体が完全な駆動機構となる。
【０００９】
さらに本発明の実施例によれば、同軸歯車群は、アラーム用分カムを含む。この分カムは、１時間に１回転の割合で駆動され、少なくとも１つの半径方向のノッチを有する。このカム・フォロアは、分カムに当たる第２フィンガを有する。かくして、打鈴機構がトリガーされる時間は、分カム・ノッチと時間カム・ノッチのそれぞれの位置の組み合わせで決まる。この特徴により、打鈴機構がトリガーされる時間は、より正確になる。
【図面の簡単な説明】
【００１０】
【図１】トリガ歯車と、２個のカムと、カム・フォロアを有するプログラム歯車とを有する同軸歯車群を具備する本発明のアラーム制御機構の平面図。
【図２】図１の線ＩＩ−ＩＩに沿った断面図。
【図３】プログラム歯車の斜視図。
【図４】２個のカムとカム・フォロアとを示す部分斜視図。
【図５】２個のカムとカム・フォロアとを示す部分斜視図。
【図６ａ】カム・フォロアの通常の動作位置を示す図。
【図６ｂ】カム・フォロアの第１動作位置を示す図。
【図６ｃ】カム・フォロアの第２動作位置を示す図。
【発明を実施するための形態】
【００１１】
図１、２のアラーム制御機構は、同軸歯車群１を有する。同軸歯車群１は、図２で、上から下に順に、時間カム３を具備する時間歯車２と、外歯５とピニオン６を有するトリガ歯車４と、カム・フォロア・レバー８とａｍ／ｐｍカム９を搭載するプログラム可能歯車７と、スプリング１２を具備する保持ディスク（サプライズ・ピースとも称する）１１と、分カム１４を具備する分歯車１３とを有する。中央ボア１６が、同軸歯車群１の全てを貫通して前記歯車群を搭載する。これらの歯車は、軸心１６上で自由に回転する。それ故、各歯車は、共通軸１７の周囲を回転する。この共通軸１７は、時計のムーブメントの面（図示せず）に直交する。時間歯車２と分歯車１３は、輪列により連結される。この輪列は、伝達率が２４：１であり、現在時刻をアナログ表示する分歯車／ピニオン２０を有する。この分歯車／ピニオン２０は、歯車２１を有する。歯車２１は、分歯車１３と噛み合い、時計のムーブメントにより分歯車１３は１時間に１回転するよう駆動される。分歯車／ピニオン２０は、さらにピニオン２２を有する。このピニオン２２は、中間歯車２３、２４により、時間歯車２に連結される。時間歯車２は２４時間に１回転する。かくして、時間カム３と分歯車１３の位置は、時計の指針により、現在時刻を表示し、さらなる情報（例：ａｍ／ｐｍ）も表示できる。これは時間歯車２が１２時間の代わりに２４時間の時間を決定できるからである。
【００１２】
図１は、同軸歯車群１の要素の透視図である。この実施例において、トリガ歯車４、プログラム可能歯車７の外側歯は、同一直径であり、平面図では同一となる。トリガ歯車４の歯は、歯車２６に固定されたピニオン（図示せず）と噛み合う。この歯車２６は、手動アラーム時間設定手段２５の一部を形成する。この手動アラーム時間設定手段２５は、従来と同様であるので詳述しない。歯車２６が、アナログのアラーム時間表示の分歯車とピニオンの一部を形成する。この分歯車とピニオンは、分針と、１２時間に１回転する時針と、フィーラー・スピンドル２７により制御されるａｍ／ｐｍ表示器とを有する。このフィーラース・ピンドル２７は、ａｍ／ｐｍカム９のエッジに当たる。ａｍ／ｐｍカム９は時間歯車２に固定される。
【００１３】
軸３１に搭載されるレバーが打鈴機構トリガ装置３０を形成する。この打鈴機構トリガ装置３０の一端に配置されたラック３２は、トリガ歯車４の歯５と噛み合う。打鈴機構トリガ装置３０の一部（ラック３２を有する）は、その面で若干柔軟性があり、ラック３２が歯５上のクリックのように動作する。これに関しては以下説明する。打鈴機構トリガ装置３０は、復帰スプリング（図示せず）の力により、時計方向に回転するようバイアスがかけられる。この復帰スプリングの強さは、ラック３２を歯５に当てて丁度保持する程度の強さである。打鈴機構がそのトリガされた状態にある時には、巻き上げスプリングの力Ｒは、復帰スプリングよりも強く、打鈴機構トリガ装置３０を時計方向に回転させて、打鈴機構トリガ装置３０を歯５に強く当て、トリガ歯車４を反時計方向（矢印Ａ）の方向に回転させる。打鈴機構トリガ装置３０の他端は、特別部材３４を具備する。特別部材３４は、トリガ装置３０が時計方向に回転した時には、打鈴機構の作用を制御し、打鈴機構が停止した時には、トリガ装置の復帰運動を制御する。上記特別部材３４は、様々な種類が公知なのでここでは詳述しない。
【００１４】
図３、６ａ、６ｂ、６ｃは、カム・フォロア・レバー８の詳細を示す。このカム・フォロア・レバー８は、プログラム可能歯車７の上に、軸３６の手段で搭載される。この軸３６は、プログラム可能歯車７の中心からずれた位置にある。カム・フォロア・レバー８は、ラック３７を具備した突起した側面部分を有する。このラック３７は、トリガ歯車４のピニオン６と噛み合う。トリガ歯車４は同図から省いている。カム・フォロア・レバー８が浮き上がるのを防止するために、このカム・フォロア・レバー８は、スプリング３８の先端により内側に押されている。このスプリングの後端３９は、プログラム可能歯車７に固定されている。その結果、カム・フォロア・レバー８は、ピニオン６の歯に当たって静止する。図４、５は、カム・フォロア・レバー８が、時間カム３と分カム１４とサプライズ・ピース１１と共働する状態を示す。断面が三角形のピン４０が、カム・フォロア・レバー８の先端に固定され、共通軸１７に平行に伸びる。ピン４０は、上部フィンガ４０ａと下部フィンガ４０ｂとを形成する。これらのフィンガ４０ａ、４０ｂは、分歯車１３と分カム１４の周囲と、サプライズ・ピース１１に半径方向から当たる。図１に示すように、開口４１（図１に示す）が、トリガ歯車４に形成される。開口４１内を、ピン４０が、十分な遊びを持って、トリガ歯車４に対し移動できる。図３によれば、開口４２がプログラム可能歯車７に形成される。ピン４０は、プログラム可能歯車７に接触することなく、開口４２内を貫通する。このピン４０も図３から省いている。
【００１５】
図４、５に示すように、時間カム３の周囲は、円筒状部分４３と半径方向ノッチ４４とを有する。分カム１４の周囲は、円筒状部分４６と２個の半径方向ノッチ４７、４８を有する。円筒状部分４６は、時間カム３の円筒状部分４３よりも若干小さい半径を有する。ノッチ４７、４８の半径方向の入口のリセスは、互いに３０度ずれており、このずれは分カム１４の５分間の回転に相当する。サプライズ・ピース１１の周囲は、円筒状部分５０と２個の半径方向ノッチ５１、５２とを有する。この円筒状部分５０は、他のカムの円筒状部分４３と４６よりも若干小さい半径を有する。ノッチ５１、５２は、ノッチ４７、４８と同一量だけ角度がシフトしている。ノッチ５１、５２は、円周方向でノッチ４７、４８よりも若干狭い。ノッチ５１、５２の後に、それぞれ突起部分５３、５４が続く。これら突起部分５３，５４の外側表面は、内側傾斜部５５、５６とそれらの後に円筒状部分５７、５８とを有する。円筒状部分５７，５８は、他のカムの円筒状部分４３、４６よりも大きい半径を有する。サプライズ・ピース１１に組み込まれたスプリング１２の一端は、ピン５９に当たる。このピン５９は、分カム１４に固定され、サプライズ・ピース１１をカムに対し、所定の相対位置に保持する。その結果、サプライズ・ピース１１の突起部分５３、５４は、ノッチ４７、４８をカバーする。このサプライズ・ピース１１が反時計方向に押されると、スプリング１２は、半径方向に十分な遊びを有し、サプライズ・ピース１１が分カム１４上で十分回転して、ノッチ４７、４８をカバーしなくなり、ピン４０がノッチ４７，４８のいづれか一方に入る。
【００１６】
次に、本発明のアラーム制御機構の動作を次に説明する。ユーザは、歯車２６（図１に示す）を回転することにより、あるいは適宜のコマンドにより、アラーム時間を（１分台の精度で）設定する。ユーザは、かくしてアラーム時間表示の時針と分針を設定する。即ち、プログラム可能歯車７と、プログラム可能歯車７に、ピニオン６とカム・フォロア・レバー８を介してリンクされたトリガ歯車４を設定する。アラーム時間は、一方向のみ設定される。その結果、トリガ歯車４とプログラム可能歯車７は、図１の反時計方向（Ａ）に回転させ、時間設定コマンドは、打鈴機構トリガ装置３０を時計方向に動かし、ラック３２を歯５から切り離して、トリガ歯車４を回転できるようにする。ピニオン６により提供される抵抗力が小さいために、カム・フォロア・レバー８は、図６ｂに示す第１動作位置に移動する。その位置では、ピン４０は、カムとサプライズ・ピース１１から離れている。
【００１７】
打鈴機構が設定されていない場合、巻き上げスプリングＲによる動作は存在しない。打鈴機構トリガ装置３０とカム・フォロア・レバー８は、弱い復帰スプリングによってのみ力がかけられているので、ピン４０は、カムとサプライズ・ピース１１に弱くしか当たらない。かくしてピン４０は、サプライズ・ピース１１の突起部分５３、５４によりカバーされているノッチ４７、４８内に入ることができない。その理由は、スプリング１２が、ピン４０の回転を阻止するような十分な大きな抵抗力を提供するからである。ピン４０は時間カムをスライドし、そのサプライズ・ピースの突起部５３、５４を通過する、即ち、内側傾斜部５５、５６の上をスライドする。カム・フォロア・レバー８とそのピン４０は、プログラム可能歯車７上で僅かしか動かないので、トリガ歯車４とそのピニオン６は、ほとんど静止しており、打鈴機構トリガ装置３０を動かすことはない。
【００１８】
打鈴機構が設定されている場合、このことはスプリングＲが、打鈴機構トリガ装置３０とトリガ歯車４に対し、それぞれ矢印Ｒと矢印Ａ（図１）で示す方向に作用することを意味する。図３、６ａを参照すると、ピニオン６は、カム・フォロア・レバー８を横方向に指導させ、ピン４０を、カムとサプライズ・ピース１１に抗する力で、半径方向（矢印Ｆの方向に）から押す。アラーム時間の前は、ピン４０は、時間カム３の円筒状部分４３に当たってスライドする。それ故に、ノッチがピンの前方を通過する時に、分カムのノッチ内に入ることはできない。
【００１９】
アラーム時間の数分前は、時間カムのリセス４４は、ピン４０の前方を通過する。ピン４０は、その後、半径方向にスライド移動して、分カム１４の円筒状部分４６に当たってスライドする。この状態を図５に示す。その後、このピン４０は、内側傾斜部５５を介して、サプライズ・ピース１１の第１突起部分５３に接触し、分カム１４の第１ノッチ４７をカバーする。力Ｆは、ピン４０が、サプライズ・ピース１１を反時計（Ａ）方向に回転させ、ピン４０が、アラーム時間として選択された正確な時間に、ノッチ４７に入るのに十分な力（即ち、スプリング１２がこの動きに対抗する力に打ち勝つ程度の力）である。スプリングＲが動作していると、カム・フォロア・レバー８は、図６ｃに示す第２位置までの限られたロッキング運動を行う。ラック３７を介して、このロッキング運動により、ピニオン６とトリガ歯車４による反時計方向Ａへの限られた回転と、アラーム打鈴機構をトリガーするのに十分な程度の打鈴機構トリガ装置３０の時計方向の回転が可能となる。かくして、トリガ歯車４とそのピニオン６は、カム・フォロア・レバー８と打鈴機構トリガ装置３０の間に配置された中間歯車の機能を十分果たす。その結果、第１位置から第２位置へロッキング運動を伝達する。あるいはその逆も行う。トリガ歯車４の歯５が円形であるために、この連結は、プログラム可能歯車７の如何なる位置でも可能である。即ち、あらゆるアラーム時間の設定が可能である。
【００２０】
ユーザが打鈴機構を停止すると、これにより、巻き上げスプリングＲの動作が停止し、カム・フォロア・レバー８のピン４０にかかる力Ｆが停止する。ピン４０がその側面によりノッチ４７から外れるよう押し戻す方向に押される。これにより、サプライズ・ピース１１は、戻り、ノッチをカバーし、その結果、ピンはその中に戻ることができない。分カムの第２ノッチ４８がピン４０の前面に到達すると、サプライズ・ピース１１の突起部分５４の内側傾斜部５６は、ピンを押し戻しよう十分抵抗し、ピンは、サプライズ・ピースの円筒状部分５８の上をスライドすることにより、通過できる。かくして、ピン４０は、第２ノッチ４８内に入ることができない。第２のノッチ４８と突起部分５４が通過すると、ピン４０は戻って時間カム３に当たり、そのカムのノッチ４３が通過し終わる。
【００２１】
ユーザが打鈴機構をアラーム時間に停止しない場合には、打鈴機構は、適宜の機構により所定の時間後に自動的に停止する。この適宜の機構は、特別部材３４のラックに働いて、打鈴機構トリガ装置３０をスプリングＲの力に抗して反時計方向に回転させる。そのため、ピン４０は、前述したように、ノッチ４７から出て戻される。次に前記の機構が、打鈴機構トリガ装置３０を押すことを停止すると、スプリングＲは、ピンをサプライズ・ピース１１に再び押し当て、その後、分カム１４に押し当てる。そのカムの円筒状表面は、図４に示す状態で、ピンに当たってスライドする。これは、サプライズ・ピースの第２突起部分５４がピンに当たり、ピンにより後方に押し戻されるまで、続く。これにより、サプライズ・ピースは、アラーム時間に回転する。アラーム時間の５分後、分カムの第２ノッチ４８は前方向に移動して、ピン４０が第２のノッチに入り、かくしてカム・フォロア・レバー８、ピニオン６、トリガ歯車４、打鈴機構トリガ装置３０が回転して、打鈴機構を始動する。その後、このプロセスは、アラーム時間と同様に継続する。必要に応じて、分カムは、第３のノッチを有し、第３時間に打鈴機構を始動（トリガー）してもよい。
【００２２】
上記の実施例は、本発明の特徴であるトリガー・ホイールをプログラム可能歯車に対し回転させて打鈴機構をトリガーする特徴を有する限り、あらゆる変更が可能である。例えば、カム・フォロア・レバー８は、スライド可能な要素で置換できる。他の変形例は、ラック３７とピニオン６を、ピン４０をトリガ歯車４に形成された斜めのスロットに係合させる永久システムで置換することもできる。その結果、ピンのあらゆる半径方向の動きにより歯車は回転する、またその逆も行うこともできる。
【００２３】
本発明は、数分後に打鈴機構を再度活性化しない場合でも採用できる。アラーム時間の精度が悪くなってもよい場合には、分カムを用いなくてもよい。
【００２４】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【符号の説明】
【００２５】
１  同軸歯車群
２  時間歯車
３  時間カム
４  トリガ歯車
５  円形外側歯
６  ピニオン
７  プログラム可能歯車
８  カム・フォロア・レバー
９  ａｍ／ｐｍカム
１１  サプライズ・ピース
１２  スプリング
１３  分歯車
１４  分カム
１６  中央ボア
１７  共通軸
２０  分歯車とピニオン
２１  歯車
２３，２４  中間歯車
２６  歯車
２７  フィーラ−スピンドル
３０  打鈴機構トリガ装置
３１  軸
３２  ラック
３４  特別部材
３６  軸
３７  ラック
３８  スプリング
３９  後部端
４０  ピン
４０ａ  上部フィンガ
４０ｂ  下部フィンガ
４２  開口
４３  円筒状部分
４４  半径方向ノッチ
４６  円筒状部分
４７，４８  半径方向ノッチ
５０  円筒状部分
５１，５２  ノッチ
５３，５４  突起部分
５５，５６  内側傾斜部
５７，５８  円筒状部分
５９  ピン
【図１】
0005408987.tif 000002
【図２】
0005408987.tif 000003
【図３】
0005408987.tif 000004
【図４】
0005408987.tif 000005
【図５】
0005408987.tif 000006
【図６ａ】
0005408987.tif 000007
【図６ｂ】
0005408987.tif 000008
【図６ｃ】
0005408987.tif 000009